(57)【要約】      （修正有）【課題】羽毛を含む充填素材を多量に用いることなく、また高価な軽量化した改良素材を用いなくても、保温性を維持したまま軽量化可能な掛け布団を提供する。【解決手段】布団側をキルティング状に縫製し、該縫製により区画された布団側地１１の内部空間１２内に羽毛を含む素材１３が充填された掛け布団において、上記掛け布団の裏面側における前記区画を形成する前記縫製１１１が、縫製途中で前記区画領域の真ん中方向にタック１４をとって縫製されており、上記掛け布団１０の表面側における前記区画を形成する縫製には、前記タックをとる縫製がされていない。【選択図】図４
2006296480.tif 000002
【特許請求の範囲】
【請求項１】
布団側をキルティング状に縫製し、該縫製により区画された布団側地の内部空間内に羽毛を含む素材が充填された掛け布団において、
上記掛け布団の裏面側における前記区画部分は、その周囲においてそれぞれ当該区画部分の側地が引き寄せられて構成されており、
上記掛け布団の表面側における前記区部分には、側地の前記引き寄せがされていないことを特徴とする掛け布団。
【請求項２】
布団側をキルティング状に縫製し、該縫製により区画された布団側地の内部空間内に羽毛を含む素材が充填された掛け布団において、
上記掛け布団の裏面側における前記区画を形成する前記縫製が、縫製途中で前記区画領域の真ん中方向にタックをとって縫製されており、
上記掛け布団の表面側における前記区画を形成する縫製には、前記タックをとる縫製がされていないことを特徴とする掛け布団。
【発明の詳細な説明】
【技術分野】
【０００１】
本発明は、羽毛が充填された掛け布団に関する。
【背景技術】
【０００２】
従来、羽毛入り掛け布団の嵩高さを確保し保温性を実現するために、いわゆる立体キルトと称される掛け布団が提供されている。
【０００３】
そして、従来、この種の掛け布団において、その嵩高さを確保するため、キルティング状に縫製される側地の区画部分の容積を大きくし、その大きくなった容積に多量の羽毛を含む素材を充填する構成がとられていた。また、嵩高さを確保する一方で多量の充填素材を用いることは布団の軽量化の点で好ましくないことから、羽毛又は羽毛と共に充填する例えば合成繊維素材に改良が加えられ、充填素材そのものを軽量化する試みが種々提案されている（特許文献１）。
【０００４】
【特許文献１】特願平６−２６５４２５
【０００５】
しかし、布団の嵩高さを確保するために、多量の羽毛を含む充填素材を用いることは、価格面で問題があるのみならず、天然素材である羽毛原料を多量に入手しなければならないため好ましくない。また軽量化された素材を用いることも、価格面に問題があるほか、充填する素材自体の軽量化であるためそこにもおのずと限界がある。
【発明の開示】
【発明が解決しようとする課題】
【０００６】
本発明の目的は、羽毛を含む充填素材を多量に用いることなく、また高価な軽量化した改良素材を用いなくても、保温性を維持したまま軽量化可能な掛け布団を提供するところにある。
【課題を解決するための手段】
【０００７】
本発明は、布団側をキルティング状に縫製し、該縫製により区画された布団側地の内部空間内に羽毛を含む素材が充填された掛け布団において、
上記掛け布団の裏面側における前記区画部分は、その周囲においてそれぞれ当該区画部分の側地が引き寄せられて構成されており、
上記掛け布団の表面側における前記区部分には、側地の前記引き寄せがされていないことを特徴とする掛け布団である。
【０００８】
本発明の好ましい態様は、布団側をキルティング状に縫製し、該縫製により区画された布団側の内部空間内に羽毛を含む素材が充填された掛け布団において、
上記掛け布団の裏面側における前記区画を形成する前記縫製が、縫製途中で前記区画領域の真ん中方向にタックをとって縫製されており、
上記掛け布団の表面側における前記区画を形成する縫製には、前記タックをとる縫製がされていないことを特徴とする掛け布団である。
【発明の効果】
【０００９】
本発明は、上記構成であるので、タックにより引き寄せられた側地の裏面の区画部分が、タックにより引き寄せられていない側地の表面の区画部分に対して、側地構造として掛け布団の裏面側において相対的に膨らむことから、タックをとっていない布団や側地の両面側にタックをとっている掛け布団と比較してその膨らみが大きい。しかも隣接するその大きな膨らみ同士の間に形成される空気層の容量も大きくとることができるため、羽毛を含む同種同量の充填素材を用いても、保温性は大きくなる。
【００１０】
従って、本発明の掛け布団は、軽い充填素材を用いずに、羽毛を含む充填素材量を減量したとしても保温性は十分確保されることから、保温性を維持したまま軽量化することが可能となるものである。
【発明を実施するための最良の形態】
【００１１】
図１は本発明に係る掛け布団の一実施形態を示す表面側の概略平面図である。図２は同裏面側の概略背面図である。図３は図２における要部拡大斜視図である。図４は図１におけるＸ−Ｘ線概略断面図である。
１０は掛け布団である。この掛け布団１０は、図示のとおり、布団側地１１がキルティング状に縫製されており、図４に示す様に、該縫製により区画された布団側地１１の区画部分１１０の内部空間１２内に羽毛を含む素材１３が充填されている。１１１は区画部分１１０の縫製である。
【００１２】
本実施形態の掛け布団は、人体を覆う当該掛け布団１０の裏面側における前記区画部分１１０ｂは、その周囲においてそれぞれ当該区画部分１１０ｂの布団側地１１がタック１４をとって引き寄せられて構成されているが、この掛け布団１０の表面側における前記区画部分１１０ａは、布団側地１１の前記引き寄せがされていない。
【００１３】
特に、本実施形態の布団は、図２に示すように、上記掛け布団の裏面側における前記区画部分１１０ｂを形成する前記縫製１１１が、縫製途中で前記区画部分１１０ｂの領域の真ん中方向にタック１４をとって縫製されており、上記掛け布団１０の表面側における前記区画部分１１０ａを形成する縫製には、前記タックをとる縫製がされていない。
【００１４】
従って、本実施形態の掛け布団は、上記構成であるので、タック１４により引き寄せられた側地１１の裏面の区画部分１１０ｂが、図３に示すようにタック１４により引き寄せられていない側地１１の表面の区画部分１１０ａに対して、側地構造として掛け布団の裏面側において相対的に膨らむことから、タックをとっていない布団や側地の両面側にタックをとっている掛け布団と比較してその膨らみが大きい。しかも隣接するその大きな膨らみ同士の間に形成される空気層の容量も大きくとることができるため、羽毛を含む同種同量の充填素材を用いても、保温性は大きくなる。
【００１５】
従って、本発明の掛け布団は、軽い充填素材を用いずに、羽毛を含む充填素材量を減量したとしても保温性は十分確保されることから、保温性を維持したまま軽量化することが可能となるものである。
【００１６】
なお、本発明は上記実施形態に限定されるものではない。例えば本実施形態のキルティング縫製加工による区画は、４列で縦方向区画を形成しているが、２以上の複数列であれば差し支えない。ただし、保温性を保持する上では人体が接する真ん中において前記区画部分の膨らみに覆われていることが好ましいことから３列の縦方向区画を備えた掛け布団が好ましい。前記区画内に充填される素材も特に限定されない。本発明の布団は、あえて軽量化された素材を充填する必要はないが、当該素材を充填することを否定するものではない。軽量化された素材を用いることでより、保温性を維持したまま更に軽量化された掛け布団を提供できる。
【産業上の利用可能性】
【００１７】
本発明は羽毛入りの掛け布団に利用することができる。
【図面の簡単な説明】
【００１８】
【図１】図１は本発明に係る掛け布団の一実施形態を示す表面側の概略平面図である。
【図２】図２は同裏面側の概略背面図である。
【図３】図３は図２における要部拡大斜視図である。
【図４】図４は図１におけるＸ−Ｘ線概略断面図である。
【符号の説明】
【００１９】
１０    掛け布団
１１    側地
１１０  区画部分
１１１  縫製
１２    内部空間
１３    羽毛を含む素材
１４    タック
【図１】
2006296480.tif 000003
【図２】
2006296480.tif 000004
【図３】
2006296480.tif 000005
【図４】
2006296480.tif 000006